(57)【要約】【課題】小型化、軽量化及びコスト削減が可能である非共振ＬＥＤ二方向性駆動回路を提供する。【解決手段】脈動の電気エネルギーを電源とし、キャパシティブインピーダンスコンポーネント、誘導性インピーダンスコンポーネント、或いは抵抗性インピーダンスコンポーネントによって、第一インピーダンスＺ１０１を構成する。キャパシティブインピーダンスコンポーネントと誘導性インピーダンスコンポーネントＩ２００を並列接続することによって、第二インピーダンスＺ１０２を構成する。第一インピーダンスＺ１０１と第二インピーダンスＺ１０２とを直列接続し、両端に脈動の電気エネルギーを入力することによって、第二インピーダンスＺ１０２の両端に分圧された電気エネルギーを形成する。電気エネルギーの分圧により、二方向性導電発光ダイオードセットＬ１００を駆動する。【選択図】図２
2009170915.tif 000002
【特許請求の範囲】
【請求項１】
ＬＥＤ二方向性駆動回路（Ｕ１００）は、少なくとも一個のキャパシティブインピーダンスコンポーネント、誘導性インピーダンスコンポーネント或いは抵抗性インピーダンスコンポーネントによって少なくとも一個の第一インピーダンスを構成し、また少なくとも一個のキャパシティブインピーダンスコンポーネントと少なくとも一個の誘導性インピーダンスコンポーネントを並列接続することによって第二インピーダンスを構成し、二者を並列接続してからの固有並列共振周波数は脈動の電気エネルギーの脈動周期と相異で、並列共振を形成せず、また少なくとも一個の第一発光ダイオードと少なくとも一個の第二発光ダイオードを逆極性に並列接続することにより、少なくとも一個の二方向性導電発光ダイオードセットを構成し、また少なくとも一個の第二インピーダンスの両端に並列接続し、更に少なくとも一個の第一インピーダンスと少なくとも一個の第二インピーダンスの直列接続後の両端から脈動の電気エネルギーを入力し、
上記回路が第一インピーダンス及び第二インピーダンスの両端に形成する二方向性に交互に切り替える分圧の電気エネルギーと第二インピーダンスに減衰波形を示す二方向性分圧の電気エネルギーを通して、少なくとも一個の二方向性導電発光ダイオードセットを駆動し、或いは、別々に少なくとも二個の第一インピーダンスと第二インピーダンスの両端に並列接続する二方向性導電発光ダイオードセットを駆動することによって、第一インピーダンスの両端及び第二インピーダンスの両端にある電気エネルギーの分圧に駆動されることによって、非共振ＬＥＤ二方向性駆動回路を構成し、その構成は下記を含み、
第一インピーダンス（Ｚ１０１）はコンデンサ（Ｃ１００）、誘導性インピーダンスコンポーネント或いは抵抗性インピーダンスコンポーネントの中の一種や一種以上及び一個或いは一個以上によって構成され、或いは、二種や二種以上のインピーダンスコンポーネントによって構成され、かつ各種のインピーダンスコンポーネントを別々に一個或いは一個以上を直列、並列、直並列接続して構成され、
第二インピーダンス（Ｚ１０２）は少なくとも一個の誘導性インピーダンスコンポーネント（Ｉ２００）と少なくとも一個のコンデンサ（Ｃ２００）を並列接続することによって構成され、二者を並列接続してからの固有並列共振周波数は脈動の電気エネルギーの脈動周期と相異で、並列共振を形成せず、
少なくとも一個の第一インピーダンス（Ｚ１０１）と少なくとも一個の第二インピーダンス（Ｚ１０２）を互いに直列接続し、第一インピーダンス（Ｚ１０１）と第二インピーダンス（Ｚ１０２）を互いに直列接続してからの両端は、
１．直流脈動の電気エネルギーを入力し、或いは、
２．直流電源を固定或いは可変電圧に転換し、及び固定或いは可変周期の直流脈動の電気エネルギーを入力し、或いは、
３．交流の電気エネルギーを直流の電気エネルギーに整流し、固定或いは可変電圧に再転換し、及び固定或いは可変周期の直流脈動の電気エネルギーを入力し、或いは、
４．固定或いは可変電圧及び固定或いは可変周波数の交流の電気エネルギーを入力し、半波或いは全波の直流脈動の電気エネルギーに整流し、
二方向性導電発光ダイオードセット（Ｌ１００）は少なくとも一個の第一発光ダイオード（ＬＥＤ１０１）と少なくとも一個の第二発光ダイオード（ＬＥＤ１０２）が逆極性に並列接続することによって構成され、第一発光ダイオード（ＬＥＤ１０１）と第二発光ダイオード（ＬＥＤ１０２）の数量は同じ或いは異なることが可能で、第一発光ダイオード（ＬＥＤ１０１）と第二発光ダイオード（ＬＥＤ１０２）は一個の個別発光ダイオードの順発光電流極性によって構成され、或いは、二個或いは二個以上の発光ダイオードの順発光電流極性が直列或いは並列接続して構成され、或いは、三個或いは三個以上の発光ダイオードの順発光電流極性が直列、並列、直並列接続して構成され、二方向性導電発光ダイオードセット（Ｌ１００）は必要に応じて一セット或いは一セット以上の選択設置が可能で、第一インピーダンス（Ｚ１０１）或いは第二インピーダンス（Ｚ１０２）の二者或いはその中の一つの両端に並列接続し、入力する電気エネルギーが第一インピーダンス（Ｚ１０１）の両端及び第二インピーダンス（Ｚ１０２）の両端に形成する電気エネルギー分圧を通して、第一インピーダンス（Ｚ１０１）或いは第二インピーダンス（Ｚ１０２）の両端と並列に接続する二方向性導電発光ダイオードセット（Ｌ１００）を駆動して発光させ、
ＬＥＤ二方向性駆動回路（Ｕ１００）の第一インピーダンス（Ｚ１０１）と第二インピーダンス（Ｚ１０２）及び二方向性導電発光ダイオードセット（Ｌ１００）は必要に応じて各一個或いは一個以上を選択し、
上記回路が第一インピーダンス及び第二インピーダンスの両端に形成する二方向性に交互に切り替える分圧の電気エネルギーを通して、第二インピーダンスに減衰波形を示す二方向性分圧の電気エネルギーを形成することによって、少なくとも一個の二方向性導電発光ダイオードセットを駆動し、或いは、別々に少なくとも二個の第一インピーダンスと第二インピーダンスの両端に並列接続する二方向性導電発光ダイオードセットを駆動することによって、第一インピーダンスの両端及び第二インピーダンスの両端にある分圧の電気エネルギーによって駆動し、更に非共振ＬＥＤ二方向性駆動回路を構成し、
第一インピーダンス（Ｚ１０１）、第二インピーダンス（Ｚ１０２）、二方向性導電発光ダイオードセット（Ｌ１００）、第一発光ダイオード（ＬＥＤ１０１）、第二発光ダイオード（ＬＥＤ１０２）及び選択した各項の補助性回路コンポーネントは必要に応じて設置するかしないかの選択が可能であり、設置数量は一個によって構成されるものを含み、一個以上を選択する場合、応用時の回路機能の必要に応じて相対極性関係を選定し、直列、並列、直並列に接続することを特徴とする非共振ＬＥＤ二方向性駆動回路。
【請求項２】
第一インピーダンス（Ｚ１０１）は、少なくとも一個のコンデンサ（Ｃ１００）によって構成され、特に二極性キャパシティブによって構成され、第一インピーダンスの数量は一個或いは一個以上であり、
第二インピーダンス（Ｚ１０２）は並列接続してからの固有並列共振周波数が脈動の電気エネルギーの脈動周期と相異で、並列共振を形成しない誘導性インピーダンスコンポーネント（Ｉ２００）を少なくとも一個及び少なくとも一個のコンデンサ（Ｃ２００）を並列接続することによって構成し、第二インピーダンスの数量は一個或いは一個以上であり、
少なくとも一個の第一インピーダンス（Ｚ１０１）と少なくとも一個の第二インピーダンス（Ｚ１０２）を直列接続し、直列接続してからの両端に脈動の電気エネルギーを入力し、第二インピーダンス（Ｚ１０２）に二方向性に交互に切り替える電気エネルギーの分圧を形成し、二方向性に交互に切り替える分圧の電気エネルギーによって少なくとも一個の二方向性導電発光ダイオードセット（Ｌ１００）を駆動し、
二方向性導電発光ダイオードセット（Ｌ１００）は少なくとも一個の第一発光ダイオード（ＬＥＤ１０１）と少なくとも一個の第二発光ダイオード（ＬＥＤ１０２）が逆極性に並列接続することによって構成され、第一発光ダイオード（ＬＥＤ１０１）と第二発光ダイオード（ＬＥＤ１０２）の数量は同じ或いは異なることが可能で、第一発光ダイオード（ＬＥＤ１０１）と第二発光ダイオード（ＬＥＤ１０２）は一個の個別発光ダイオードの順発光電流極性によって構成され、或いは、二個或いは二個以上の発光ダイオードの順発光電流極性が直列或いは並列接続して構成され、或いは、三個或いは三個以上の発光ダイオードの順発光電流極性が直列、並列、直並列接続して構成され、二方向性導電発光ダイオードセット（Ｌ１００）は必要に応じて一セット或いは一セット以上の選択設置が可能で、第一インピーダンス（Ｚ１０１）或いは第二インピーダンス（Ｚ１０２）の二者或いはその中の一つの両端に並列接続し、入力する電気エネルギーが第一インピーダンス（Ｚ１０１）の両端及び第二インピーダンス（Ｚ１０２）の両端に形成する電気エネルギー分圧を通して、第一インピーダンス（Ｚ１０１）或いは第二インピーダンス（Ｚ１０２）の両端と並列に接続する二方向性導電発光ダイオードセット（Ｌ１００）を駆動して発光させ、
少なくとも一セットの二方向性導電発光ダイオードセット（Ｌ１００）を少なくとも一個の第二インピーダンス（Ｚ１０２）の両端に並列接続し、第二インピーダンス（Ｚ１０２）の両端にある分電圧の電気エネルギーによって駆動され、第一インピーダンス（Ｚ１０１）を通して、電流を制限し、特にコンデンサ（Ｃ１００）、例えば、二極性コンデンサを第一インピーダンスコンポーネントと選択して使用するとき、キャパシティブインピーダンスを通して、出力電流を制限し、
第一インピーダンス（Ｚ１０１）、第二インピーダンス（Ｚ１０２）、二方向性導電発光ダイオードセット（Ｌ１００）を通して、上記の回路構造に従って接続し、ＬＥＤ二方向性駆動回路（Ｕ１００）を構成することを特徴とする請求項１記載の非共振ＬＥＤ二方向性駆動回路。
【請求項３】
二方向性導電発光ダイオードセット（Ｌ１００）を通して、第二インピーダンス（Ｚ１０２）と並列接続し、電流分流効果を形成することによって、電源電圧が変動するとき、二方向性導電発光ダイオードセット（Ｌ１００）の両端に相対する電源の電圧変動率を減少させることが可能であることを特徴とする請求項１記載の非共振ＬＥＤ二方向性駆動回路。
【請求項４】
第一インピーダンス（Ｚ１０１）の不使用を選択することが可能で、直接第二インピーダンス（Ｚ１０２）と脈動の電気エネルギーの電源を並列接続することによって、非並列共振状態を作動し、ただし減衰波形を示す二方向性に交互に切り替える電気エネルギーを形成することを特徴とする請求項１又は請求項２記載の非共振ＬＥＤ二方向性駆動回路。
【請求項５】
第一発光ダイオード（ＬＥＤ１０１）或いは第二発光ダイオード（ＬＥＤ１０２）の中の一つは、ダイオード（CＲ１００）によって取り替えられ、またダイオード（ＣＲ１００）の電流の流れる方向は並列接続と保留される第一発光ダイオード（ＬＥＤ１０１）或いは第二発光ダイオード（ＬＥＤ１０２）の作動電流の流れる方向と逆極性に並列接続することが可能であることを特徴とする請求項２記載の非共振ＬＥＤ二方向性駆動回路。
【請求項６】
二方向性導電発光ダイオードセット（Ｌ１００）の第一発光ダイオード（ＬＥＤ１０１）及び第二発光ダイオード（ＬＥＤ１０２）の中に同時に限流抵抗（Ｒ１０３）及び限流抵抗（Ｒ１０４）を設置する場合、限流機能を得るために、限流抵抗（Ｒ１００）を直接に二方向性導電発光ダイオードセット（Ｌ１００）と直列接続することによって取り替え、或いは、同時に設置することが可能であり、限流抵抗（Ｒ１００）は誘導性インピーダンス（Ｉ１００）によって取り替えることが可能であり、上記回路構造及び補助回路コンポーネントの選択に従ってＬＥＤ二方向性駆動回路（Ｕ１００）を構成することを特徴とする請求項１記載の非共振ＬＥＤ二方向性駆動回路。
【請求項７】
更に二方向性導電発光ダイオードセット（Ｌ１００）を構成する第一発光ダイオード（ＬＥＤ１０１）及び第二発光ダイオード（ＬＥＤ１０２）の両端に別々にツェナーダイオードを並列接続し、或いは、ツェナーダイオードをまず少なくとも一個のダイオードと直列に接続し、ツェナー電圧効果を生じさせてから、別々に第一発光ダイオード（ＬＥＤ１０１）或いは第二発光ダイオード（ＬＥＤ１０２）の両端に並列接続し、その構成は下記を含み、
ＬＥＤ二方向性駆動回路（Ｕ１００）の中で二方向性導電発光ダイオードセット（Ｌ１００）を構成する第一発光ダイオード（ＬＥＤ１０１）の両端をツェナーダイオード（ＺＤ１０１）と並列に接続し、その極性関係はツェナーダイオード（ＺＤ１０１）のツェナー電圧によって第一発光ダイオード（ＬＥＤ１０１）の両端の作動電圧を制限し、
ツェナーダイオード（ＺＤ１０１）は必要に応じてダイオード（ＣＲ２０１）を選択設置し、ツェナーダイオード（ＺＤ１０１）と直列接続することによって、共同してツェナー電圧効果の機能を形成することが可能であり、その利点は１．ツェナーダイオード（ＺＤ１０１）を保護し、逆方向性電流を防ぐことが可能であり、２．ダイオード（ＣＲ２０１）とツェナーダイオード（ＺＤ１０１）の二者は温度補償効果を持っており、
もし二方向性導電発光ダイオードセット（Ｌ１００）に第二発光ダイオード（ＬＥＤ１０２）を選択使用するとき、必要に応じて第二発光ダイオード（ＬＥＤ１０２）の両端を選択し、ツェナーダイオード（ＺＤ１０２）と並列に接続することが可能で、その極性関係はツェナーダイオード（ＺＤ１０２）のツェナー電圧によって第二発光ダイオード（ＬＥＤ１０２）の両端の作動電圧を制限することを特徴とする請求項１記載の非共振ＬＥＤ二方向性駆動回路。
【請求項８】
ツェナーダイオード（ＺＤ１０２）は、必要に応じてダイオード（ＣＲ２０２）を選択設置し、ツェナーダイオード（ＺＤ１０２）と直列に接続することが可能で、その利点は１．ツェナーダイオード（ＺＤ１０２）を保護し、逆方向電流を防ぐことが可能であり、２．ダイオード（ＣＲ２０２）とツェナーダイオード（ＺＤ１０２）の二者は温度補償効果を持っていることを特徴とする請求項１記載の非共振ＬＥＤ二方向性駆動回路。
【請求項９】
ツェナーダイオードの構成は下記を含み、
１．二方向性導電発光ダイオードセット（Ｌ１００）を構成する第一発光ダイオード（ＬＥＤ１０１）の両端にツェナーダイオード（ＺＤ１０１）を並列接続すると同時に、第二発光ダイオード（ＬＥＤ１０２）の両端にツェナーダイオード（ＺＤ１０２）を並列接続し、或いは、
２．二個のツェナーダイオード（ＺＤ１０１）及びツェナーダイオード（ＺＤ１０２）を逆方向に直列接続してから、更に二方向性導電発光ダイオードセット（Ｌ１００）の両端に並列接続し、或いは、
３．二方向性ツェナー効果を持つダイオードと並列接続する二方向性導電発光ダイオードセット（Ｌ１００）の回路に取り替え、上記の三種類の回路は全て第一発光ダイオード（ＬＥＤ１０１）及び第二発光ダイオード（ＬＥＤ１０２）の端電圧過高を防ぐことが可能であることを特徴とする請求項１記載の非共振ＬＥＤ二方向性駆動回路。
【請求項１０】
第一発光ダイオード（ＬＥＤ１０１）に充放電可能装置（ＥＳＤ１０１）を設置し、或いは、第二発光ダイオード（ＬＥＤ１０２）に充放電可能装置（ＥＳＤ１０２）を設置することが可能であり、充放電可能装置（ＥＳＤ１０１）及び充放電可能装置（ＥＳＤ１０２）はアットランダムに充電或いは電気エネルギーを放出する特性があって、第一発光ダイオード（ＬＥＤ１０１）或いは第二発光ダイオード（ＬＥＤ１０２）の発光を安定させ、また発光照度の脈動を下げることが可能であり、充放電可能装置（ＥＳＤ１０１）と充放電可能装置（ＥＳＤ１０２）は各種のよく使われる充放電可能な電池、超コンデンサ、コンデンサによって構成されることを特徴とする請求項１記載の非共振ＬＥＤ二方向性駆動回路。
【請求項１１】
充放電可能装置の応用回路を加設することは、限流抵抗（Ｒ１０３）を第一発光ダイオード（ＬＥＤ１０１）と直列接続後の両端に充放電可能装置（ＥＳＤ１０１）を並列に接続することが可能であり、
或いは、更に限流抵抗（Ｒ１０４）を第二発光ダイオード（ＬＥＤ１０２）と直列に接続してからの両端に充放電可能装置（ＥＳＤ１０２）を並列に接続することが可能であることを特徴とする請求項１記載の非共振ＬＥＤ二方向性駆動回路。
【請求項１２】
更に第一発光ダイオード、第二発光ダイオード及び直列に接続する限流抵抗の両端に充放電可能装置の回路を並列接続することが可能であり、その構成は下記を含み、
第一発光ダイオード（ＬＥＤ１０１）と限流抵抗（Ｒ１０３）を直列に接続してからの両端或いは直接第一発光ダイオード（ＬＥＤ１０１）の両端に極性に従って充放電可能装置（ＥＳＤ１０１）を並列接続し、充放電可能装置（ＥＳＤ１０１）はアットランダムに充電或いは電気エネルギーを放出する特性があって、第一発光ダイオード（ＬＥＤ１０１）の発光作動を安定させ、及び発光照度の脈動を下げることが可能であり、
第二発光ダイオード（ＬＥＤ１０２）を選択するとき、第二発光ダイオード（ＬＥＤ１０２）を限流抵抗（Ｒ１０４）と直列に接続してからの両端に極性に従って充放電可能装置（ＥＳＤ１０２）を並列接続し、充放電可能装置（ＥＳＤ１０２）はアットランダムに充電或いは電気エネルギーを放出する特性があって、第二発光ダイオード（ＬＥＤ１０２）の発光作動を安定させ、及び発光照度の脈動を下げることが可能であり、
ＬＥＤ二方向性駆動回路（Ｕ１００）に第一発光ダイオード（ＬＥＤ１０１）及び逆方向並列ダイオード（CＲ１００）を選択するとき、この主な回路構造は第一発光ダイオード（ＬＥＤ１０１）と限流抵抗（Ｒ１０３）を直列に接続してからの両端に極性に従って充放電可能装置（ＥＳＤ１０１）を並列接続し、充放電可能装置（ＥＳＤ１０１）はアットランダムに充電或いは電気エネルギーを放出する特性があって、第一発光ダイオード（ＬＥＤ１０１）の発光作動を安定させ、及び発光照度の脈動を下げることが可能であり、
充放電可能装置（ＥＳＤ１０１）及び充放電可能装置（ＥＳＤ１０２）は各種のよく使われる充放電可能な電池、超コンデンサ、コンデンサによって構成されることを特徴とする請求項１記載の非共振ＬＥＤ二方向性駆動回路。
【請求項１３】
ＬＥＤ二方向性駆動回路（Ｕ１００）に限流抵抗（Ｒ１００）を選択し、限流抵抗（Ｒ１０３）、限流抵抗（Ｒ１０４）を取り替えることによって、二方向性導電発光ダイオードセット（Ｌ１００）の共用限流抵抗とするとき、或いは、限流抵抗（Ｒ１０３）、限流抵抗（Ｒ１０４）及び限流抵抗（Ｒ１００）を設置しないとき、その主な回路構造は下記を含み、
充放電可能装置（ＥＳＤ１０１）を直接に同極性の第一発光ダイオード（ＬＥＤ１０１）の両端に並列接続し、充放電可能装置（ＥＳＤ１０２）を同極性第二発光ダイオード（ＬＥＤ１０２）の両端に並列接続し、充放電可能装置（ＥＳＤ１０１）及び充放電可能装置（ＥＳＤ１０２）はアットランダムに充電或いは電気エネルギーを放出する特性があり、
充放電可能装置（ＥＳＤ１０１）及び充放電可能装置（ＥＳＤ１０２）は各種のよく使われる充放電可能な電池、超コンデンサ、コンデンサによって構成されることを特徴とする請求項１記載の非共振ＬＥＤ二方向性駆動回路。
【請求項１４】
二方向性導電発光ダイオードセット（Ｌ１００）の両端に充放電可能装置を加設し、アットランダムに充電或いは電気エネルギーを放出することによって、二方向性導電発光ダイオード（Ｌ１００）の中の第一発光ダイオード（ＬＥＤ１０１）と第二発光ダイオード（ＬＥＤ１０２）の発光を安定させる以外に、断電時、充放電可能装置より貯蔵した電気エネルギーを出力することにより、第一発光ダイオード（ＬＥＤ１０１）或いは第二発光ダイオード（ＬＥＤ１０２）の少なくともその中の一つを駆動し、持続発光させ、使用する充放電可能装置（ＥＳＤ１０１）或いは充放電可能装置（ＥＳＤ１０２）が単極性の場合は、第一発光ダイオード（ＬＥＤ１０１）と単極性の充放電可能装置（ＥＳＤ１０１）を並列に接続してから、逆方向電圧による単極性の充放電可能装置の破損を防ぐために、順極性に直列接続するダイオード（ＣＲ１０１）をオプションにすることが可能であり、第二発光ダイオード（ＬＥＤ１０２）と単極性充放電可能装置（ＥＳＤ１０２）を並列に接続してから、逆方向電圧による単極性充放電可能装置の破損を防ぐために、必要に応じて順極性に直列接続するダイオード（ＣＲ１０２）を選択設置することが可能であり、
充放電可能装置（ＥＳＤ１０１）及び充放電可能装置（ＥＳＤ１０２）は各種のよく使われる充放電可能な電池、超コンデンサ、コンデンサによって構成されることを特徴とする請求項１記載の非共振ＬＥＤ二方向性駆動回路。
【請求項１５】
二方向性導電発光ダイオードセット（Ｌ１００）のダイオード二方向性導電発光機能の構成方式は、少なくとも一個の第一発光ダイオード（ＬＥＤ１０１）とダイオード（ＣＲ１０１）を逆極性に並列接続し、及び少なくとも一個の第二発光ダイオード（ＬＥＤ１０２）とダイオード（ＣＲ１０２）を逆極性に並列接続してから、二者を逆方向に直列接続することによって二方向性導電発光ダイオードセットを構成することを特徴とする請求項１記載の非共振ＬＥＤ二方向性駆動回路。
【請求項１６】
ＬＥＤ二方向性駆動回路（Ｕ１００）の中に一セットの二方向性導電発光ダイオードセット（Ｌ１００）の選択設置が可能で、或いは、一セット以上の二方向性導電発光ダイオードセット（Ｌ１００）を選択設置し、直列、並列、直並列接続し、一セット或いは一セット以上を選択設置するとき、共同して共用する第二インピーダンス（Ｚ１０２）の分圧電気エネルギーによって駆動されることが可能で、或いは、直列や並列接続する多セットの第二インピーダンス（Ｚ１０２）より個別にマッチされ、多セットの第二インピーダンス（Ｚ１０２）の分圧電気エネルギーによって個別にマッチする二方向性導電発光ダイオードセット（Ｌ１００）を駆動することを特徴とする請求項１記載の非共振ＬＥＤ二方向性駆動回路。
【請求項１７】
充放電可能装置（ＥＳＤ１０１）を設置しない場合、発光ダイオード（ＬＥＤ１０１）は断続導電となり、発光ダイオード（ＬＥＤ１０１）は入力電圧波形及び導電と断電時間の割合に従って、通電発光時の順電流値を相対選定し、及び二方向性導電性発光ダイオードセット（Ｌ１００）の各発光ダイオードの通電発光時の順電圧ピーク値を相対選択することによって、回路中の発光ダイオード（ＬＥＤ１０１）が断続導電の駆動状態である場合、導電と断電時間の割合によって定格順電圧より高い値を通電発光の順電圧ピーク値として選定し、ただし原則として通電発光の順電圧ピーク値は発光ダイオード（ＬＥＤ１０１）にダメージを与えてはならないことを特徴とする請求項１記載の非共振ＬＥＤ二方向性駆動回路。
【請求項１８】
充放電可能装置を設置しない場合は、通電発光の順電圧の高低及び波形は、通電発光の順電圧が通電発光の順電流に対する割合の電流大小及び電流波形を形成し、ただし原則として通電発光の順電圧ピーク値は発光ダイオード（ＬＥＤ１０１）或いは発光ダイオード（ＬＥＤ１０２）にダメージを与えてはならないことを特徴とする請求項１記載の非共振ＬＥＤ二方向性駆動回路。
【請求項１９】
直列式電気エネルギーパワーコントローラーに直列接続することが可能であり、直列式電気エネルギーパワーコントローラーの構成は下記を含み、
直列式直流の電気エネルギーパワーコントローラー（３３０）はよく使われるメカトロニクスコンポーネント或いは固体パワーコンポーネント及び電子回路関連コンポーネントによって構成され、直流脈動の電気エネルギーの出力パワーを制御し、
直列式二方向性電気エネルギーパワーコントローラー（３００）はよく使われるメカトロニクスコンポーネント或いは固体パワーコンポーネント及び電子回路関連コンポーネントによって構成され、二方向性電気エネルギーの出力パワーを制御し、
回路の作動機能は下記の通りであり、
１．直列式直流の電気エネルギーパワーコントローラー（３３０）をＬＥＤ二方向性駆動回路（Ｕ１００）と直列接続し、二者を直列接続してから、電源からの直流脈動の電気エネルギーを入力し、直列式直流の電気エネルギーパワーコントローラー（３３０）を通して、電源からの脈動の電気エネルギーを調整制御し、またパルス幅変調を行い、或いは、導電の位相角を制御し、或いは、インピーダンスの調整制御等の方式でパワーを調整制御することによって、ＬＥＤ二方向性駆動回路（Ｕ１００）を駆動し、或いは、
２．直列式二方向性電気エネルギーパワーコントローラー（３００）を第二インピーダンス（Ｚ１０２）と二方向性導電発光ダイオードセット（Ｌ１００）との間に直列接続し、直列式二方向性電気エネルギーパワーコントローラー（３００）を通して、第二インピーダンス（Ｚ１０２）の両端に減衰波形を示す二方向性脈動の分圧の電気エネルギーを調整制御し、パルス幅変調或いは導電の位相角を制御し、或いは、インピーダンスの調整制御等の方式でパワーを制御することによって、二方向性導電発光ダイオードセット（Ｌ１００）を駆動することを特徴とする請求項１記載の非共振ＬＥＤ二方向性駆動回路。
【請求項２０】
並列式電気エネルギーパワーコントローラーに並列接続することが可能であり、並列式電気エネルギーパワーコントローラーの構成は下記を含み、
並列式直流の電気エネルギーパワーコントローラー（４３０）はよく使われるメカトロニクスコンポーネント或いは固体パワーコンポーネント及び電子回路関連コンポーネントによって構成され、直流脈動の電気エネルギーの出力パワーを制御し、
並列式二方向性電気エネルギーパワーコントローラー（４００）はよく使われるメカトロニクスコンポーネント或いは固体パワーコンポーネント及び電子回路関連コンポーネントによって構成され、二方向性電気エネルギーの出力パワーを制御し、
回路の作動機能は下記通りであり、
１．並列式直流の電気エネルギーパワーコントローラー（４３０）の出力端をＬＥＤ二方向性駆動回路（Ｕ１００）と並列接続し、かつ並列式直流の電気エネルギーパワーコントローラー（４３０）の入力端へ電源からの直流脈動の電気エネルギーを入力し、並列式直流の電気エネルギーパワーコントローラー（４３０）を通して、電源からの直流脈動の電気エネルギーを調整制御し、パルス幅変調を行い、或いは、導電の位相角を制御し、或いは、インピーダンスを調整制御する等の方式でパワーを調整制御することにより、ＬＥＤ二方向性駆動回路（Ｕ１００）を駆動し、或いは、
２．並列式直流の電気エネルギーパワーコントローラー（４００）の出力端を二方向性導電発光ダイオードセット（Ｌ１００）の入力端と並列接続し、かつ並列式二方向性電気エネルギーパワーコントローラー（４００）の入力端を第二インピーダンス（Ｚ１０２）と並列接続し、並列式二方向性電気エネルギーパワーコントローラー（４００）を通して、第二インピーダンス（Ｚ１０２）の両端からの減衰波形を示す二方向性脈動の分圧の電気エネルギーを調整制御し、パルス幅変調を行い、或いは、導電の位相角を制御し、或いは、インピーダンスを調整制御する等の方式でパワーを調整制御し、二方向性導電発光ダイオードセット（Ｌ１００）を駆動することを特徴とする請求項１記載の非共振ＬＥＤ二方向性駆動回路。
【請求項２１】
ＤＣ−ＤＣコンバータの電気エネルギーで駆動することが可能で、その主な構成は下記を含み、
ＤＣ−ＤＣコンバータ（５０００）はよく使われるメカトロニクス或いは固体パワーコンポーネント及び電子回路関連コンポーネントより構成され、入力端に直流の電気エネルギーを入力し、出力端は必要に応じて選定した固定或いは可変電圧及び固定或いは可変周期の直流脈動の電気エネルギーを出力し、
回路の作動機能は下記の通りであり、
ＤＣ−ＤＣコンバータ（５０００）の入力端に直流の電気エネルギーを入力し、出力端から直流脈動の電気エネルギーを出力し、かつＬＥＤ二方向性駆動回路（Ｕ１００）をＤＣ−ＤＣコンバータ（５０００）の出力端と並列に接続し、かつＤＣ−ＤＣコンバータ（５０００）の入力端には必要に応じて選定する固定或いは可変電圧の直流電気エネルギーを入力し、或いは、交流電気エネルギーを直流電気エネルギーに整流してから入力し、
ＤＣ−ＤＣコンバータ（５０００）の出力端は必要に応じて選定した固定或いは可変電圧及び固定或いは可変周期の脈動の電気エネルギーを出力することによって、ＬＥＤ二方向性駆動回路（Ｕ１００）を制御及び駆動し、
またＤＣ−ＤＣコンバータ（５０００）の出力パワーを制御することにより、直列共振（series resonance）のＬＥＤ二方向性駆動回路（Ｕ１００）への出力を制御し、或いは、出力する電気エネルギーに対してパルス幅変調を行い、或いは、導電の位相角を制御し、或いは、インピーダンスを制御する等の方式でパワーを調整制御することによって、ＬＥＤ二方向性駆動回路（Ｕ１００）を操作制御及び駆動することを特徴とする請求項１記載の非共振ＬＥＤ二方向性駆動回路。
【請求項２２】
ＬＥＤ二方向性駆動回路（Ｕ１００）を少なくとも一個のよく使われるインピーダンスコンポーネント（５００）と直列に接続してから、電源と並列に接続し、インピーダンスコンポーネント（５００）は下記を含み、
１．インピーダンスコンポーネント（５００）はキャパシティブインピーダンス特性を持つコンポーネントより構成し、或いは、
２．インピーダンスコンポーネント（５００）は誘導性インピーダンス特性を持つデバイスより構成し、或いは、
３．インピーダンスコンポーネント（５００）は抵抗性インピーダンス特性を持つコンポーネントより構成し、或いは、
４．インピーダンスコンポーネント（５００）は単一インピーダンスコンポーネントが同時にキャパシティブインピーダンス、誘導性インピーダンス或いは抵抗性インピーダンスの中で少なくとも二種の合成インピーダンス特性を持つコンポーネントより構成されることによって、直流性質のインピーダンス或いは交流性質のインピーダンスを提供し、或いは、
５．インピーダンスコンポーネント（５００）は単一インピーダンスコンポーネントが同時にキャパシティブインピーダンス及び誘導性インピーダンスの合成インピーダンス特性を持つコンポーネントより構成され、かつ並列共振周波数は通過する二方向性或いは一方向性脈動の電気エネルギーの周波数或いは周期と同じで、並列共振状態になり、或いは、
６．インピーダンスコンポーネント（５００）はキャパシティブインピーダンスコンポーネント、誘導性インピーダンスコンポーネント或いは抵抗性インピーダンスコンポーネントより構成され、その中の一種或いは一種以上を含み、及び一個或いは一個以上のインピーダンスコンポーネントより構成され、或いは、二種或いは二種以上の直列に接続するインピーダンスコンポーネントを採用し、或いは、並列や直並列接続より構成され、直流性質のインピーダンス或いは交流性質のインピーダンスを提供し、或いは、
７．インピーダンスコンポーネント（５００）はキャパシティブインピーダンスコンポーネントと誘導性インピーダンスコンポーネントが互いに直列に接続することにより構成され、直列に接続してからの固有直列共振周波数と通過する二方向性或いは一方向性脈動の周波数或いは周期は同じで、かつ直列共振状態を形成し、また相対的にキャパシティブインピーダンスコンポーネント或いは誘導性インピーダンスコンポーネントの両端に直列共振を示す相対端の電圧を形成することが可能であり、
或いは、キャパシティブインピーダンスと誘導性インピーダンスを互いに並列接続し、並列接続してからの固有並列共振周波数は通過する二方向性或いは一方向性脈動の電気エネルギーの周波数或いは周期と同じで、かつ並列共振状態を形成し、及び相対の端電圧を形成することが可能であることを特徴とする請求項１記載の非共振ＬＥＤ二方向性駆動回路。
【請求項２３】
第二インピーダンス（Ｚ１０２）の誘導性インピーダンスコンポーネント（Ｉ２００）の選択は、更に誘導効果を持つ変圧器電源巻線によって取り替えることが可能で、単巻変圧器（ＳＴ２００）は昇圧機能を持つ単巻変圧巻線（Ｗ０）であって、単巻変圧器（ＳＴ２００）の単巻変圧巻線（Ｗ０）のｂ端、ｃ端を電源側とし、第二インピーダンス（Ｚ１０２）の誘導性インピーダンスコンポーネント（Ｉ２００）を取り替えることにより、コンデンサ（Ｃ２００）と並列接続し、第二インピーダンス（Ｚ１０２）を構成することによって、第一インピーダンス（Ｚ１０１）を構成するコンデンサ（Ｃ１００）と直列接続し、コンデンサ（Ｃ２００）は単巻変圧器（ＳＴ２００）のタップ（ＴＡＰ）のａ、ｃ間或いはｂ、ｃ間或いはほかの必要に応じてタップ間に並列接続することの選定が可能であり、ただし単巻変圧巻線（Ｗ０）とコンデンサ（Ｃ２００）を並列接続してからの固有並列共振周波数は脈動の電気エネルギーの脈動周期と並列共振を形成せず、単巻変圧器（ＳＴ２００）の単巻変圧巻線（Ｗ０）のａ出力端、ｃ出力端から昇圧する二方向性に交互に切り替える電気エネルギーを出力することによって、二方向性導電発光ダイオードセット（Ｌ１００）を駆動することを特徴とする請求項１記載の非共振ＬＥＤ二方向性駆動回路。
【請求項２４】
第二インピーダンス（Ｚ１０２）の誘導性インピーダンスコンポーネント（Ｉ２００）の選択は、更に誘導効果を持つ変圧器電源巻線によって取り替えることが可能で、単巻変圧器（ＳＴ２００）は降圧機能を持つ単巻変圧巻線（Ｗ０）であって、単巻変圧器（ＳＴ２００）の単巻変圧巻線（Ｗ０）のａ端、ｃ端を電源側とし、第二インピーダンス（Ｚ１０２）の誘導性インピーダンスコンポーネント（Ｉ２００）を取り替えることにより、コンデンサ（Ｃ２００）と並列接続し、第二インピーダンス（Ｚ１０２）を構成することによって、第一インピーダンス（Ｚ１０１）を構成するコンデンサ（Ｃ１００）と直列接続し、コンデンサ（Ｃ２００）は単巻変圧器（ＳＴ２００）のタップ（ＴＡＰ）のａ、ｃ間或いはｂ、ｃ間或いはほかの必要に応じてタップ間に並列接続することの選定が可能であり、ただし単巻変圧巻線（Ｗ０）とコンデンサ（Ｃ２００）を並列接続してからの固有並列共振周波数は脈動の電気エネルギーの脈動周期と並列共振を形成せず、単巻変圧器（ＳＴ２００）の単巻変圧巻線（Ｗ０）のｂ出力端、ｃ出力端から降圧する二方向性に交互に切り替える電気エネルギーを出力することによって、二方向性導電発光ダイオードセット（Ｌ１００）を駆動することを特徴とする請求項１記載の非共振ＬＥＤ二方向性駆動回路。
【請求項２５】
第二インピーダンス（Ｚ１０２）の誘導性インピーダンスコンポーネント（Ｉ２００）の選択は、更に誘導効果を持つ変圧器電源巻線によって取り替えることが可能で、分離式変圧器（ＩＴ２００）は一次巻線（Ｗ１）及び二次巻線（Ｗ２）によって構成され、一次巻線（Ｗ１）と二次巻線（Ｗ２）の二者が分離され、一次巻線（Ｗ１）はコンデンサ（Ｃ２００）と並列接続することによって、第二インピーダンス（Ｚ１０２）を構成してから、第一インピーダンス（Ｚ１０１）のコンデンサ（Ｃ１００）と直列接続し、コンデンサ（Ｃ２００）は単巻変圧器（ＳＴ２００）のタップ（ＴＡＰ）のａ、ｃ間或いはｂ、ｃ間或いはほかの必要に応じてタップ間に並列接続することの選定が可能であり、ただし一次巻線（Ｗ１）とコンデンサ（Ｃ２００）を並列接続してからの固有並列共振周波数は脈動の電気エネルギーの脈動周期と並列共振を形成せず、分離式変圧器（ＩＴ２００）の二次巻線（Ｗ２）の出力電圧は必要に応じて昇圧或いは降圧の選択が可能で、二次巻線の出力の二方向性に交互に切り替える電気エネルギーを二方向性導電発光ダイオードセット（Ｌ１００）へ出力し、
上記の変圧器の電源巻線によって第二インピーダンス（Ｚ１０２）中の誘導性インピーダンスコンポーネント（Ｉ２００）を取り替え、コンデンサ（Ｃ２００）と並列接続することによって、第二インピーダンスを構成し、また分離式変圧器（ＩＴ２００）の二次側昇圧出力の交流電圧或いは降圧出力の交流の電気エネルギーによって二方向性導電発光ダイオードセット（Ｌ１００）を駆動することを特徴とする請求項１記載の非共振ＬＥＤ二方向性駆動回路。
【発明の詳細な説明】
【技術分野】
【０００１】
本発明は、非共振ＬＥＤ二方向性駆動回路に関する。
本発明は、一種の脈動の電気エネルギーを電源とし、キャパシティブインピーダンスコンポーネント（或いは誘導性インピーダンスコンポーネント、或いは抵抗性インピーダンスコンポーネント）によって第一インピーダンスを構成する。また、並列接続してからの固有並列共振（ｐａｒａｌｌｅｌ  ｒｅｓｏｎａｎｃｅ）周波数と脈動の電気エネルギーの脈動周期が相異で、並列共振（ｐａｒａｌｌｅｌ  ｒｅｓｏｎａｎｃｅ）を形成しないキャパシティブインピーダンスコンポーネントと誘導性インピーダンスコンポーネントの二者を並列接続することによって、第二インピーダンスを構成する。第一インピーダンスと第二インピーダンスとを直列接続してから両端に脈動の電気エネルギーを入力し、直列接続する第一インピーダンス及び第二インピーダンスを通して、電源からの脈動の電気エネルギー電圧を分圧する。
【０００２】
上記回路が第二インピーダンスの両端に減衰波形を示す二方向性に交互に切り替える電気エネルギーの分圧を通して、第二インピーダンスの両端に減衰波形を示す二方向性に交互に切り替える電気エネルギーの分圧を形成する。電気エネルギーの分圧によって二方向性導電の発光ダイオードを駆動し、或いは、別々に少なくとも二個の第一インピーダンスと第二インピーダンスの両端に並列接続する二方向性導電発光ダイオードセットを駆動することにより、第一インピーダンスの両端及び第二インピーダンスの両端の電気エネルギーの分圧によって駆動することを特徴とする。
【背景技術】
【０００３】
従来の交流の電気エネルギー或いは直流の電気エネルギーをＬＥＤ駆動回路の電源とするとき、ＬＥＤ電流を制限するために、通常は、限流抵抗を直列接続してインピーダンスとし、直列抵抗性インピーダンスの電圧が下がると、電気エネルギーがロスし、熱が溜まる欠点がある。
【発明の概要】
【発明が解決しようとする課題】
【０００４】
本発明の目的は、小型化、軽量化、コスト削減が可能な、高周波脈動電源に適用する非共振ＬＥＤ二方向性駆動回路を提供することにある。
【課題を解決するための手段】
【０００５】
本発明は、一種の脈動の電気エネルギーを電源とし、キャパシティブインピーダンスコンポーネント（或いは誘導性インピーダンスコンポーネント、或いは抵抗性インピーダンスコンポーネント）によって第一インピーダンスを構成する。また、並列接続してからの固有並列共振周波数は脈動の電気エネルギーの脈動周期と相異で、並列共振を形成しないキャパシティブインピーダンスコンポーネントと誘導性インピーダンスコンポーネントを並列接続することによって、第二インピーダンスを構成する。第一インピーダンスと第二インピーダンスを直列接続し、両端に脈動の電気エネルギーを入力することによって、第二インピーダンスの両端に二方向性に交互に切り替える電気エネルギーの分圧を形成する。分圧の電気エネルギーにより二方向性導電発光ダイオードセットを駆動することを特徴とする。
【図面の簡単な説明】
【０００６】
【図１】本発明の一実施形態による非共振ＬＥＤ二方向性駆動回路を示す回路図。
【図２】本発明の一実施形態による非共振ＬＥＤ二方向性駆動回路を示す回路図。
【図３】本発明の一実施形態による非共振ＬＥＤ二方向性駆動回路の逆極性に並列接続する第一発光ダイオード及びダイオードによって構成される回路を示す回路図。
【図４】本発明の一実施形態による非共振ＬＥＤ二方向性駆動回路の限流抵抗によって二方向性導電発光ダイオードセットと直列に接続する回路を示す回路図。
【図５】図２の回路中の二方向性導電発光ダイオードセットにツェナーダイオードを加設する回路を示す回路図。
【図６】図３の回路中の二方向性導電発光ダイオードセットにツェナーダイオードを加設する回路を示す回路図。
【図７】図４の回路中の二方向性導電発光ダイオードセットにツェナーダイオードを加設する回路を示す回路図。
【図８】図５の回路中の第一発光ダイオード、第二発光ダイオード及び直列接続する限流抵抗の両端を充放電可能装置と並列接続する回路を示す回路図。
【図９】図６の回路中の発光ダイオード及び限流抵抗の両端を直列接続して充放電可能装置を並列接続する回路を示す回路図。
【図１０】図７の回路中の発光ダイオード及び限流抵抗の両端を直列接続して充放電可能装置を並列接続する回路を示す回路図。
【図１１】本発明の一実施形態による非共振ＬＥＤ二方向性駆動回路の二方向性導電発光ダイオードセットの第一発光ダイオードと第二発光ダイオードを逆方向に並列接続して構成する回路を示す回路図。
【図１２】本発明の一実施形態による非共振ＬＥＤ二方向性駆動回路の直列式電気エネルギーパワーコントローラーと直列に接続する回路を示す回路図。
【図１３】本発明の一実施形態による非共振ＬＥＤ二方向性駆動回路の並列式電気エネルギーパワーコントローラーと並列に接続する回路を示す回路図。
【図１４】本発明の一実施形態による非共振ＬＥＤ二方向性駆動回路のＤＣ−ＤＣコンバータより出力する電気エネルギーを受けて駆動する回路を示す回路図。
【図１５】本発明の一実施形態による非共振ＬＥＤ二方向性駆動回路のインピーダンスコンポーネントと直列に接続する回路を示す回路図。
【図１６】本発明の一実施形態による非共振ＬＥＤ二方向性駆動回路のスイッチ装置を通してインピーダンスコンポーネントと直列接続して接続する制御回路を示す回路図。
【図１７】本発明の一実施形態による非共振ＬＥＤ二方向性駆動回路の単巻変圧器の単巻変圧の電源巻線によって第二インピーダンスの誘導性インピーダンスコンポーネントを取り替える昇圧回路を示す回路図。
【図１８】本発明の一実施形態による非共振ＬＥＤ二方向性駆動回路の単巻変圧器の単巻変圧の電源巻線によって第二インピーダンスの誘導性インピーダンスコンポーネントを取り替える降圧回路を示す回路図。
【図１９】本発明の一実施形態による非共振ＬＥＤ二方向性駆動回路の分離式変圧巻線の分離式変圧器の一次巻線によって第二インピーダンスの誘導性インピーダンスコンポーネントを取り替える回路を示す回路図。
【発明を実施するための形態】
【０００７】
（一実施形態）
以下、本発明の一実施形態を図面に基づいて説明する。
本発明の一実施形態による非共振ＬＥＤ二方向性駆動回路のＬＥＤ二方向性駆動回路Ｕ１００の回路構成及び機能作動は、少なくとも一個のキャパシティブインピーダンスコンポーネント（或いは誘導性インピーダンスコンポーネント、或いは抵抗性インピーダンスコンポーネント）によって少なくとも一個の第一インピーダンスを構成する。
【０００８】
また、少なくとも一個のキャパシティブインピーダンスコンポーネントと少なくとも一個の誘導性インピーダンスコンポーネントを並列接続することによって、第二インピーダンスを構成する。二者を並列接続してからの固有並列共振周波数は、脈動の電気エネルギーの脈動周期と相異で、並列共振を形成しない。また少なくとも一個の第一発光ダイオードと少なくとも一個の第二発光ダイオードを逆極性に並列接続することにより、少なくとも一個の二方向性導電発光ダイオードセットを構成する。また少なくとも一個の第二インピーダンスの両端に並列接続し、更に少なくとも一個の第一インピーダンスと少なくとも一個の第二インピーダンスの直列接続後の両端に脈動の電気エネルギーを入力する。
【０００９】
上記回路が第一インピーダンス及び第二インピーダンスの両端に形成する二方向性に交互に切り替える分圧の電気エネルギーと第二インピーダンスに減衰波形を示す二方向性分圧の電気エネルギーを通して、少なくとも一個の二方向性導電発光ダイオードセットを駆動する。或いは、別々に少なくとも二個の第一インピーダンスと第二インピーダンスの両端に並列接続する二方向性導電発光ダイオードセットを駆動することによって、第一インピーダンスの両端及び第二インピーダンスの両端にある電気エネルギーの分圧に駆動されることによって、本実施形態の非共振ＬＥＤ二方向性駆動回路を構成する。
【００１０】
図１に本実施形態の非共振ＬＥＤ二方向性駆動回路の回路図を示す。本形態では、ＬＥＤ二方向性駆動回路Ｕ１００を通して、回路の機能を作動させる。その構成は下記を含む。
第一インピーダンスＺ１０１は、コンデンサＣ１００、或いは誘導性インピーダンスコンポーネント、或いは抵抗性インピーダンスコンポーネントの中の一種や一種以上及び一個或いは一個以上によって構成される。或いは、二種や二種以上のインピーダンスコンポーネントによって構成され、かつ各種のインピーダンスコンポーネントを別々に一個或いは一個以上を直列、並列、直並列接続によって構成される。
【００１１】
第二インピーダンスＺ１０２は、少なくとも一個の誘導性インピーダンスコンポーネントＩ２００と少なくとも一個のコンデンサＣ２００を並列接続することによって構成される。二者を並列接続してからの固有並列共振周波数は、脈動の電気エネルギーの脈動周期とは相異で、並列共振を形成しない。
【００１２】
本実施形態の非共振のＬＥＤ二方向性駆動回路Ｕ１００は、必要に応じてキャパシティブインピーダンスコンポーネント、誘導性インピーダンスコンポーネント、抵抗性インピーダンスコンポーネントを選択し、三者の中から少なくとも一種のインピーダンスコンポーネントによって第一インピーダンスＺ１０１を構成する。
【００１３】
第一インピーダンスＺ１０１の不使用を選択することが可能で、直接第二インピーダンスＺ１０２と脈動の電気エネルギーの電源を並列接続することによって、非並列共振状態を作動し、減衰波形を示す二方向性に交互に切り替える電気エネルギーを形成する。説明は下記の通りである。
少なくとも一個の第一インピーダンスＺ１０１と少なくとも一個の第二インピーダンスＺ１０２を互いに直列接続する。第一インピーダンスＺ１０１と第二インピーダンスＺ１０２を互いに直列接続してからの両端は下記の通りである。
【００１４】
（１）直流脈動の電気エネルギーを入力する。
（２）或いは、直流電源を固定或いは可変電圧に転換し、及び固定或いは可変周期の直流脈動の電気エネルギーを入力する。
（３）或いは、交流の電気エネルギーを直流の電気エネルギーに整流し、固定或いは可変電圧に再転換し、及び固定或いは可変周期の直流脈動の電気エネルギーを入力する。
（４）或いは、固定或いは可変電圧及び固定或いは可変周波数の交流の電気エネルギーを入力し、半波或いは全波の直流脈動の電気エネルギーに整流する。
【００１５】
二方向性導電発光ダイオードセットＬ１００は、少なくとも一個の第一発光ダイオードＬＥＤ１０１と少なくとも一個の第二発光ダイオードＬＥＤ１０２が逆極性に並列接続することによって構成される。第一発光ダイオードＬＥＤ１０１と第二発光ダイオードＬＥＤ１０２の数量は、同じ或いは異なることが可能である。第一発光ダイオードＬＥＤ１０１と第二発光ダイオードＬＥＤ１０２は、一個の個別発光ダイオードが順極性に接続することによって構成される。或いは、二個或いは二個以上の発光ダイオードが順極性に直列或いは並列接続して構成される。或いは、三個或いは三個以上の発光ダイオードが順極性に直列、並列、直並列接続して構成される。
【００１６】
二方向性導電発光ダイオードセットＬ１００は、必要に応じて一セット或いは一セット以上の選択設置が可能である。第一インピーダンスＺ１０１或いは第二インピーダンスＺ１０２の二者或いはその中の一つの両端に並列接続し、入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端と並列に接続する二方向性導電発光ダイオードセットＬ１００を駆動して発光させる。
【００１７】
ＬＥＤ二方向性駆動回路Ｕ１００の第一インピーダンスＺ１０１と第二インピーダンスＺ１０２及び二方向性導電発光ダイオードセットＬ１００は、必要に応じて各一個或いは一個以上を選択する。
上記回路が第一インピーダンスＺ１０１及び第二インピーダンスＺ１０２の両端に形成する二方向性に交互に切り替える分圧の電気エネルギーを通して、また第二インピーダンスＺ１０２に減衰波形を示す二方向性分圧の電気エネルギーを形成することによって、少なくとも一個の二方向性導電発光ダイオードセットを駆動する。或いは、別々に少なくとも二個の第一インピーダンスＺ１０１と第二インピーダンスＺ１０２の両端に並列接続する二方向性導電発光ダイオードセットＬ１００を駆動することによって、第一インピーダンスＺ１０１の両端及び第二インピーダンスＺ１０２の両端にある分圧の電気エネルギーによって駆動し、更に本実施形態の非共振ＬＥＤ二方向性駆動回路Ｕ１００を構成する。
【００１８】
以下では、各代表実施形態の中で、回路コンポーネントの選択について例を挙げて説明する。
（１）実施形態として、一個の第一インピーダンスＺ１０１と一個の第二インピーダンスＺ１０２と一個の二方向性導電発光ダイオードセットＬ１００とを設置する。ただし実際に適用するときは、関連装置の選択数量を制限しない。
（２）コンデンサのキャパシティブインピーダンスをインピーダンスコンポーネントの代表とし、第一インピーダンスＺ１０１及び第二インピーダンスＺ１０２を構成する。実際に適用するときは、必要に応じてキャパシティブ、誘導性、抵抗性インピーダンスコンポーネントを使用する。説明は下記の通りである。
【００１９】
図２に、本実施形態の回路図を示す。その構成は下記を含む。
第一インピーダンスＺ１０１は、少なくとも一個のコンデンサＣ１００によって構成され、特に二極性キャパシティブによって構成される。その中の第一インピーダンスＺ１０１の数量は、一個或いは一個以上である。或いは、必要に応じて第一インピーダンスＺ１０１の不使用を選択する。
【００２０】
第二インピーダンスＺ１０２は、並列接続してからの固有並列共振周波数が脈動の電気エネルギーの脈動周期と相異で、並列共振を形成しない誘導性インピーダンスコンポーネントＩ２００を少なくとも一個及び少なくとも一個のコンデンサＣ２００を並列接続することによって構成し、第二インピーダンスＺ１０２の数量は一個或いは一個以上である。
【００２１】
少なくとも一個の第一インピーダンスＺ１０１と少なくとも一個の第二インピーダンスＺ１０２を直列接続し、直列接続してからの両端に脈動の電気エネルギーを入力する。また第二インピーダンスＺ１０２に二方向性に交互に切り替える電気エネルギーの分圧を形成し、二方向性に交互に切り替える分圧の電気エネルギーによって少なくとも一個の二方向性導電発光ダイオードセットＬ１００を駆動する。
【００２２】
二方向性導電発光ダイオードセットＬ１００は、少なくとも一個の第一発光ダイオードＬＥＤ１０１と少なくとも一個の第二発光ダイオードＬＥＤ１０２が逆極性に並列接続することによって構成される。第一発光ダイオードＬＥＤ１０１と第二発光ダイオードＬＥＤ１０２の数量は、同じ或いは異なることが可能である。また、第一発光ダイオードＬＥＤ１０１と第二発光ダイオードＬＥＤ１０２は、一個の個別発光ダイオードが順極性に接続して構成される。或いは、二個或いは二個以上の発光ダイオードが順極性に直列或いは並列接続して構成される。或いは、三個或いは三個以上の発光ダイオードが順極性に直列、並列、直並列接続して構成される。
【００２３】
二方向性導電発光ダイオードセットＬ１００は、必要に応じて一セット或いは一セット以上の選択設置が可能で、第一インピーダンスＺ１０１或いは第二インピーダンスＺ１０２の二者或いはその中の一つの両端に並列接続する。入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端と並列に接続する二方向性導電発光ダイオードセットＬ１００を駆動して発光させる。
【００２４】
少なくとも一セットの二方向性導電発光ダイオードセットＬ１００を少なくとも一個の第二インピーダンスＺ１０２の両端に並列接続し、第二インピーダンスＺ１０２の両端にある分電圧の電気エネルギーによって駆動する。また第一インピーダンスＺ１０１を通して、電流を制限する。特にコンデンサＣ１００（例えば、二極性コンデンサ）を第一インピーダンスコンポーネントと選択して使用するとき、キャパシティブインピーダンスを通して、出力電流を制限する。
【００２５】
第一インピーダンスＺ１０１、第二インピーダンスＺ１０２、二方向性導電発光ダイオードセットＬ１００を通して、上記の回路構造に従って接続し、ＬＥＤ二方向性駆動回路Ｕ１００を構成する。
また上記の二方向性導電発光ダイオードセットＬ１００を通して、第二インピーダンスＺ１０２と並列接続することにより、電流分流効果を形成することによって、電源電圧が変動するとき、二方向性導電発光ダイオードセットＬ１００の両端に相対する電源の電圧変動率を減少させることが可能である。
【００２６】
本実施形態のＬＥＤ二方向性駆動回路Ｕ１００の中に二方向性導電発光ダイオードセットＬ１００を構成する第一発光ダイオードＬＥＤ１０１及び第二発光ダイオードＬＥＤ１０２の選択は下記を含む。
１．第一発光ダイオードＬＥＤ１０１は、一個或いは一個以上の発光ダイオードで、順極性に直列接続、同極性に並列接続、直並列接続によって構成されることが可能である。
【００２７】
２．第二発光ダイオードＬＥＤ１０２は、一個或いは一個以上の発光ダイオードで、順極性に直列接続、同極性に並列接続、直並列接続によって構成されることが可能である。
３．第一発光ダイオードＬＥＤ１０１と第二発光ダイオードＬＥＤ１０２を構成する発光ダイオードの数量は、同じ或いは異なることが可能である。
４．第一発光ダイオードＬＥＤ１０１と第二発光ダイオードＬＥＤ１０２を構成する個別発光ダイオードが一個以上であるとき、所属する個別発光ダイオード間の接続関係は同じ或いは異なる直列、並列、直並列接続にすることが可能である。
【００２８】
５．第一発光ダイオードＬＥＤ１０１或いは第二発光ダイオードＬＥＤ１０２の中の一つがダイオードＣＲ１００によって取り替えられる。またダイオードＣＲ１００の電流の流れる方向は、並列接続と保留される第一発光ダイオードＬＥＤ１０１或いは第二発光ダイオードＬＥＤ１０２の作動電流の流れる方向と逆極性に並列接続することが可能である。
【００２９】
図３に、本実施形態の二方向性導電発光ダイオードセットＬ１００を逆極性に並列接続する第一発光ダイオードＬＥＤ１０１及びダイオードＣＲ１００によって構成される回路の回路図を示す。
本実施形態の非共振ＬＥＤ二方向性駆動回路は、ＬＥＤ二方向性駆動回路Ｕ１００の回路の作動を通して、実際に適用するときは、図１、図２及び図３に示すように、必要に応じて下記の補助性回路コンポーネントを選択し、必要に応じて設置するかしないかの選択が可能である。また設置数量は、一個或いは一個以上によって構成する選択を含む。もし一個以上を選択する場合、回路機能の必要に応じて相対極性関係を直列、並列、直並列接続にすることを選定し、選択補助性回路コンポーネントは下記を含む。
【００３０】
ダイオードＣＲ１０１は、オプションコンポーネントである。第一発光ダイオードＬＥＤ１０１に直列接続することによって、逆電圧過高を防ぐ。
ダイオードＣＲ１０２は、オプションコンポーネントである。第二発光ダイオードＬＥＤ１０２に直列接続することによって、逆電圧過高を防ぐ。
放電抵抗Ｒ１０１は、オプションコンポーネントである。コンデンサＣ１００（例えば、二極性コンデンサ）を第一インピーダンスＺ１０１コンポーネントとして選択して使用するとき、第一インピーダンスＺ１０１を構成するコンデンサＣ１００の両端に並列接続することによって、コンデンサＣ１００の残留電荷を放電する。
【００３１】
限流抵抗Ｒ１０３は、オプションコンポーネントである。個別二方向性導電発光ダイオードセットＬ１００を構成する第一発光ダイオードＬＥＤ１０１を直列に接続することによって、第一発光ダイオードＬＥＤ１０１の通過電流を制限する。限流抵抗Ｒ１０３は、誘導性インピーダンスＩ１０３に取り替え可能である。
限流抵抗Ｒ１０４は、オプションコンポーネントである。個別二方向性導電発光ダイオードセットＬ１００の第二発光ダイオードＬＥＤ１０２を直列に接続することによって、第二発光ダイオードＬＥＤ１０２の通過電流を制限する。限流抵抗Ｒ１０４は、誘導性インピーダンスＩ１０４に取り替え可能である。
【００３２】
ＬＥＤ二方向性駆動回路Ｕ１００の二方向性導電発光ダイオードセットＬ１００を構成する第一発光ダイオードＬＥＤ１０１及び第二発光ダイオードＬＥＤ１０２の中に同時に限流抵抗Ｒ１０３及び限流抵抗Ｒ１０４を設置する場合、限流機能を得るために、限流抵抗Ｒ１００を直接に二方向性導電発光ダイオードセットＬ１００と直列接続することによって取り替え、或いは、同時に設置することが可能である。限流抵抗Ｒ１００は、誘導性インピーダンスＩ１００によって取り替えることが可能である。上記回路構造及び補助回路コンポーネントの選択に従ってＬＥＤ二方向性駆動回路Ｕ１００を構成する。
【００３３】
図４に本実施形態の中で限流抵抗Ｒ１００によって二方向性導電発光ダイオードセットＬ１００と直列に接続する回路の回路図を示す。
また発光ダイオードを保護し、発光ダイオードＬＥＤ１０１及び発光ダイオードＬＥＤ１０２の異常電圧による損傷や寿命短縮を防ぐために、本実施形態のＬＥＤ二方向性駆動回路Ｕ１００の中に更に二方向性導電発光ダイオードセットＬ１００を構成する第一発光ダイオードＬＥＤ１０１及び第二発光ダイオードＬＥＤ１０２の両端に別々にツェナーダイオードを並列接続する。或いは、ツェナーダイオードをまず少なくとも一個のダイオードと直列に接続し、ツェナー電圧効果を生じさせてから、別々に第一発光ダイオードＬＥＤ１０１或いは第二発光ダイオードＬＥＤ１０２の両端に並列接続する。
【００３４】
図５に図２の回路中の二方向性導電発光ダイオードセットにツェナーダイオードを加設する回路の回路図を示す。
図６に図３の回路中の二方向性導電発光ダイオードセットにツェナーダイオードを加設する回路の回路図を示す。
図７に図４の回路中の二方向性導電発光ダイオードセットにツェナーダイオードを加設する回路の回路図を示す。図７に示す構成は下記を含む。
【００３５】
１．ＬＥＤ二方向性駆動回路Ｕ１００の中に二方向性導電発光ダイオードセットＬ１００を構成する第一発光ダイオードＬＥＤ１０１の両端をツェナーダイオードＺＤ１０１と並列に接続し、極性関係はツェナーダイオードＺＤ１０１のツェナー電圧によって第一発光ダイオードＬＥＤ１０１の両端の作動電圧を制限する。
上記のツェナーダイオードＺＤ１０１は、必要に応じてダイオードＣＲ２０１を選択設置し、ツェナーダイオードＺＤ１０１と直列接続することによって、共同してツェナー電圧効果の機能を形成することが可能である。その利点は、（１）ツェナーダイオードＺＤ１０１を保護し、逆方向性電流を防ぐことが可能である。（２）ダイオードＣＲ２０１とツェナーダイオードＺＤ１０１の二者は、温度補償効果を持っている。
【００３６】
２．もし二方向性導電発光ダイオードセットＬ１００に第二発光ダイオードＬＥＤ１０２を選択使用するとき、必要に応じて第二発光ダイオードＬＥＤ１０２の両端を選択し、ツェナーダイオードＺＤ１０２と並列に接続することが可能である。その極性関係は、ツェナーダイオードＺＤ１０２のツェナー電圧によって第二発光ダイオードＬＥＤ１０２の両端の作動電圧を制限する。
【００３７】
上記のツェナーダイオードＺＤ１０２は、必要に応じてダイオードＣＲ２０２を選択設置し、ツェナーダイオードＺＤ１０２と直列に接続することが可能である。その利点は、（１）ツェナーダイオードＺＤ１０２を保護し、逆方向電流を防ぐことが可能である。（２）ダイオードＣＲ２０２とツェナーダイオードＺＤ１０２の二者は、温度補償効果を持っている。
【００３８】
ツェナーダイオードの構成は下記を含む。
（１）二方向性導電発光ダイオードセットＬ１００を構成する第一発光ダイオードＬＥＤ１０１の両端にツェナーダイオードＺＤ１０１を並列接続すると同時に、第二発光ダイオードＬＥＤ１０２の両端にツェナーダイオードＺＤ１０２を並列接続する。
（２）或いは、二個のツェナーダイオードＺＤ１０１及びツェナーダイオードＺＤ１０２を逆方向に直列接続してから、更に二方向性導電発光ダイオードセットＬ１００の両端に並列接続する。
【００３９】
（３）或いは、二方向性ツェナー効果を持つダイオードと並列接続する二方向性導電発光ダイオードセットＬ１００の回路に取り替える。上記の三種類の回路は、全て第一発光ダイオードＬＥＤ１０１及び第二発光ダイオードＬＥＤ１０２の端電圧過高を防ぐことが可能である。
【００４０】
本実施形態の非共振ＬＥＤ二方向性駆動回路のＬＥＤ二方向性駆動回路Ｕ１００は、図８、図９及び図１０の回路に示すように、発光ダイオードによって形成する光源の発光安定性を高めるために、更に第一発光ダイオードＬＥＤ１０１に充放電可能装置ＥＳＤ１０１を設置し、或いは、第二発光ダイオードＬＥＤ１０２に充放電可能装置ＥＳＤ１０２を設置することが可能である。
【００４１】
充放電可能装置ＥＳＤ１０１及び充放電可能装置ＥＳＤ１０２は、アットランダムに充電或いは電気エネルギーを放出する特性があって、第一発光ダイオードＬＥＤ１０１或いは第二発光ダイオードＬＥＤ１０２の発光を安定させ、また発光照度の脈動を下げることが可能である。上記の充放電可能装置ＥＳＤ１０１と充放電可能装置ＥＳＤ１０２は、各種のよく使われる充放電可能な電池、コンデンサ、超コンデンサによって構成される。
【００４２】
本実施形態の非共振ＬＥＤ二方向性駆動回路は、必要に応じて充放電可能装置を選択設置することが可能で、その適用回路は下記を含む。
１．本実施形態の非共振ＬＥＤ二方向性駆動回路のＬＥＤ二方向性駆動回路Ｕ１００は、限流抵抗Ｒ１０３を第一発光ダイオードＬＥＤ１０１と直列接続後の両端に充放電可能装置ＥＳＤ１０１を並列に接続することが可能である。
【００４３】
或いは、更に限流抵抗Ｒ１０４を第二発光ダイオードＬＥＤ１０２と直列に接続してからの両端に充放電可能装置ＥＳＤ１０２を並列に接続することが可能である。
図８に図５の回路中の第一発光ダイオード及び第二発光ダイオード及び直列接続する限流抵抗の両端を充放電可能装置と並列接続する回路の回路図を示す。その構成は下記を含む。
【００４４】
第一発光ダイオードＬＥＤ１０１と限流抵抗Ｒ１０３を直列に接続してからの両端或いは直接第一発光ダイオードＬＥＤ１０１の両端に極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、及び発光照度の脈動を下げることが可能である。
【００４５】
第二発光ダイオードＬＥＤ１０２を選択したとき、第二発光ダイオードＬＥＤ１０２を限流抵抗Ｒ１０４と直列に接続してからの両端に極性に従って充放電可能装置ＥＳＤ１０２を並列接続する。充放電可能装置ＥＳＤ１０２は、アットランダムに充電或いは電気エネルギーを放出する特性があって、第二発光ダイオードＬＥＤ１０２の発光作動を安定させ、及び発光照度の脈動を下げることが可能である。
上記の充放電可能装置ＥＳＤ１０１、充放電可能装置ＥＳＤ１０２は、各種のよく使われる充放電可能な電池、スーパーコンデンサ、コンデンサによって構成される。
【００４６】
２．本実施形態の非共振ＬＥＤ二方向性駆動回路のＬＥＤ二方向性駆動回路Ｕ１００に第一発光ダイオードＬＥＤ１０１及び逆方向並列ダイオードＣＲ１００を選択したとき、図９に主な回路構造を示す。図９は、図６の回路中の発光ダイオード及び限流抵抗の両端を直列接続してから、充放電可能装置を並列接続する回路の回路図を示す。第一発光ダイオードＬＥＤ１０１と限流抵抗Ｒ１０３を直列に接続してからの両端に極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、及び発光照度の脈動を下げることが可能である。
上記の充放電可能装置ＥＳＤ１０１、充放電可能装置ＥＳＤ１０２は、各種のよく使われる充放電可能な電池、スーパーコンデンサ、コンデンサによって構成される。
【００４７】
３．本実施形態の非共振ＬＥＤ二方向性駆動回路のＬＥＤ二方向性駆動回路Ｕ１００に限流抵抗Ｒ１００を選択する。限流抵抗Ｒ１０３、限流抵抗Ｒ１０４を取り替えることによって、二方向性導電発光ダイオードセットＬ１００の共用限流抵抗とするとき、或いは、限流抵抗Ｒ１０３、限流抵抗Ｒ１０４及び限流抵抗Ｒ１００を設置しないとき、その主な回路構造は図１０に示す通りである。図１０は、図７の回路中の発光ダイオード及び限流抵抗の両端を直列接続してから、充放電可能装置を並列接続する回路の回路図を示す。その構成は下記を含む。
【００４８】
充放電可能装置ＥＳＤ１０１を直接に同極性の第一発光ダイオードＬＥＤ１０１の両端に並列接続し、充放電可能装置ＥＳＤ１０２を同極性第二発光ダイオードＬＥＤ１０２の両端に並列接続する。充放電可能装置ＥＳＤ１０１及び充放電可能装置ＥＳＤ１０２は、アットランダムに充電或いは電気エネルギーを放出する特性がある。
上記の充放電可能装置ＥＳＤ１０１、充放電可能装置ＥＳＤ１０２は、各種のよく使われる充放電可能な電池、超コンデンサ、コンデンサによって構成される。
【００４９】
４．上記１項、２項、３項の中で、もし使用する充放電可能装置ＥＳＤ１０１或いは充放電可能装置ＥＳＤ１０２が単極性である場合、第一発光ダイオードＬＥＤ１０１と単極性充放電可能装置ＥＳＤ１０１を並列に接続してから、必要に応じて順極性に直列接続するダイオードＣＲ１０１をオプションにすることによって、逆方向電圧によって単極性充放電可能装置の破損を防ぐ。第二発光ダイオードＬＥＤ１０２と単極性充放電可能装置ＥＳＤ１０２を並列に接続してから、必要に応じて逆方向電圧によって単極性充放電可能装置の破損を防ぐために、順極性に直列接続するダイオードＣＲ１０２を選択設置する。
５．二方向性導電発光ダイオードセットＬ１００の両端に必要に応じて並列式二極性の充放電可能装置を選択設置する。
【００５０】
またＬＥＤ二方向性駆動回路Ｕ１００の二方向性導電発光ダイオードセットＬ１００の両端に充放電可能装置を加設する。アットランダムに充電或いは電気エネルギーを放出することによって、二方向性導電発光ダイオードＬ１００の中の第一発光ダイオードＬＥＤ１０１と第二発光ダイオードＬＥＤ１０２の発光を安定させる以外に、断電時、充放電可能装置より貯蔵した電気エネルギーを出力することにより、第一発光ダイオードＬＥＤ１０１或いは第二発光ダイオードＬＥＤ１０２の少なくともその中の一つを駆動し、持続発光させる。
【００５１】
上記の充放電可能装置ＥＳＤ１０１、充放電可能装置ＥＳＤ１０２は、各種のよく使われる充放電可能な電池、超コンデンサ、コンデンサによって構成される。
上記の二方向性導電発光ダイオードセットＬ１００のダイオード二方向性導電発光機能の構成方式は下記を含む。
（１）少なくとも一個の第一発光ダイオードＬＥＤ１０１と少なくとも一個の第二発光ダイオードＬＥＤ１０２を逆極性に並列接続して構成する。
【００５２】
（２）少なくとも一個の第一発光ダイオードＬＥＤ１０１とダイオードＣＲ１０１が順極性に直列接続し、及び少なくとも一個の第二発光ダイオードＬＥＤ１０２とダイオードＣＲ１０２を順極性に直列接続してから、更に二者を逆極性に並列接続して構成する。
（３）少なくとも一個の第一発光ダイオードＬＥＤ１０１とダイオードＣＲ１０１が逆極性に並列接続し、及びより少なくとも一個の第二発光ダイオードＬＥＤ１０２とダイオードＣＲ１０２を逆極性に並列接続し、更に二者を逆方向に直列接続することによって、二方向性導電発光ダイオードセットを構成する。図１１は、本実施形態の二方向性導電発光ダイオードセットＬ１００で第一発光ダイオードと第二発光ダイオードを逆方向に並列接続し、更に二者を逆極性に並列接続して構成する回路の回路図を示す。
【００５３】
（４）或いは、よりよく使われる発光ダイオードを二方向性受電発光の回路と組み合わせ、或いは、コンポーネントによって構成することが可能である。
図１から図１１に示す回路例の中に、適用ニーズに基づいて第一インピーダンスＺ１０１、第二インピーダンスＺ１０２、二方向性導電発光ダイオードセットＬ１００、第一発光ダイオードＬＥＤ１０１、第二発光ダイオードＬＥＤ１０２及び上記各項の選択補助回路コンポーネントは、必要に応じて設置するかしないかの選択が可能である。設置数量は、一個によって構成されるものを含む。一個以上を選択する場合、適用時の回路機能の必要に応じて相対極性関係を選定し、直列、並列、直並列に接続する。その構成は下記を含む。
【００５４】
１．第一インピーダンスＺ１０１は、一個によって構成され、或いは、一個以上によって構成され、直列、並列、直並列に接続する。複数個を設置するとき、各第一インピーダンスＺ１０１は、同じ類別のコンデンサＣ１００や誘導性インピーダンスコンポーネントや抵抗性インピーダンスコンポーネントによって構成され、或いは、異なる類別のインピーダンスコンポーネントによって構成される。インピーダンス値は、同じ或いは異なることが可能である。
【００５５】
２．第二インピーダンスＺ１０２は、コンデンサＣ２００及び誘導性インピーダンスコンポーネントＩ２００を並列接続することによって構成される。第二インピーダンスＺ１０２は、一個或いは一個以上によって構成され、直列、並列、直並列に接続する。複数個を設置するとき、各第二インピーダンスＺ１０２は、同類別のキャパシティブインピーダンスコンポーネント及び誘導性インピーダンスコンポーネントを並列接続することによって構成され、インピーダンス値は同じ或いは異なることが可能である。ただしコンデンサＣ２００と誘導性インピーダンスコンポーネントＩ２００を並列接続してからの固有並列共振周波数は、脈動の電気エネルギーの脈動周期と並列共振を形成しない。
【００５６】
３．第一発光ダイオードＬＥＤ１０１は、一個より構成され、或いは、一個以上より構成され、かつ順極性に直列接続、同極性に並列接続、直並列接続することが可能である。
４．第二発光ダイオードＬＥＤ１０２は、一個より構成され、或いは、一個以上より構成され、かつ順極性に直列接続、同極性に並列接続、直並列接続することが可能である。
５．ＬＥＤ二方向性駆動回路Ｕ１００は下記の通りである。
【００５７】
（１）一セットの二方向性導電発光ダイオードセットＬ１００或いは一セット以上の二方向性導電発光ダイオードセットＬ１００の選択が可能で、直列、並列、直並列接続する。一セット或いは一セット以上を選択した場合、共同して共用する第二インピーダンスＺ１０２の分圧電気エネルギーによって駆動されることが可能で、或いは、直列や並列接続する多セットの第二インピーダンスＺ１０２より個別にマッチされる。多セットの第二インピーダンスＺ１０２の分圧電気エネルギーによって個別にマッチする二方向性導電発光ダイオードセットＬ１００を駆動する。
【００５８】
（２）ＬＥＤ二方向性駆動回路Ｕ１００の中に充放電可能装置ＥＳＤ１０１或いは充放電可能装置ＥＳＤ１０２を設けた場合、二方向性導電発光ダイオードセットＬ１００の中の発光ダイオードＬＥＤ１０１或いは発光ダイオードＬＥＤ１０２を駆動し、連続直流によって通電発光する。
もし充放電可能装置ＥＳＤ１０１或いは充放電可能装置ＥＳＤ１０２を設置しない場合、発光ダイオードＬＥＤ１０１或いは発光ダイオードＬＥＤ１０２は断続導電となる。発光ダイオードＬＥＤ１０１或いは発光ダイオードＬＥＤ１０２は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、及び二方向性導電性発光ダイオードセットＬ１００を構成する各発光ダイオードの通電発光時の順電圧ピーク値（Ｐｅａｋ  ｏｆ  Ｆｏｒｗａｒｄ  Ｖｏｌｔａｇｅ）を相対選択する。その選択は下記を含む。
【００５９】
１）発光ダイオードＬＥＤ１０１或いは発光ダイオードＬＥＤ１０２の定格順電圧（Ｒａｔｅ  Ｆｏｒｗａｒｄ  Ｖｏｌｔａｇｅ）より低い値を通電発光の順電圧ピーク値とする。
２）或いは、発光ダイオードＬＥＤ１０１或いはＬＥＤ１０２の定格順電圧を通電発光の順電圧ピーク値とする。
３）或いは、もし回路中の発光ダイオードＬＥＤ１０１或いは発光ダイオードＬＥＤ１０２が断続導電の駆動状態になった場合、導電及び断電時間の割合に従って、また定格順電圧より高い値を通電発光の順電圧ピーク値として相対選定し、ただし原則として通電発光の順電圧ピーク値は発光ダイオードＬＥＤ１０１或いは発光ダイオードＬＥＤ１０２にダメージを与えてはならない。
【００６０】
上記の通電発光の順電圧の高低及び波形は、通電発光の順電圧が通電発光の順電流に対する割合（Ｆｏｒｗａｒｄ  Ｖｏｌｔａｇｅ  ｖｓ．  Ｆｏｒｗａｒｄ  Ｃｕｒｒｅｎｔ）の電流大小及び電流波形を形成する。ただし原則として通電発光の順電圧ピーク値は、発光ダイオードＬＥＤ１０１或いは発光ダイオードＬＥＤ１０２にダメージを与えてはならない。
【００６１】
上記の順電流の大小及び波形を通して、必要な電流が相対光度に対する割合（Ｆｏｒｗａｒｄ  Ｃｕｒｒｅｎｔ  ｖｓ．  Ｒｅｌａｔｅｖｅ  Ｌｕｍｉｎｏｓｉｔｙ）の照度を形成し、或いは、照度変化を有段や無段に調整制御する。
６．ダイオードＣＲ１００、ダイオードＣＲ１０１、ダイオードＣＲ１０２、ダイオードＣＲ２０１、ダイオードＣＲ２０２は、一個によって構成される。或いは、一個以上によって構成され、かつ順極性に直列接続、同極性に並列接続、直並列接続する。上記の装置は必要に応じてオプションにすることも可能である。
【００６２】
７．放電抵抗Ｒ１０１、限流抵抗Ｒ１００、限流抵抗Ｒ１０３、限流抵抗Ｒ１０４は、一個によって構成され、或いは、一個以上によって構成され、かつ直列接続、並列接続、直並列接続する。上記の装置は必要に応じてオプションにすることも可能である。
８．誘導性インピーダンスコンポーネントＩ１００、誘導性インピーダンスコンポーネントＩ１０３、誘導性インピーダンスコンポーネントＩ１０４は、一個によって構成され、或いは、一個以上によって構成され、かつ直列接続、並列接続、直並列接続する。上記の装置は必要に応じてオプションにすることも可能である。
【００６３】
９．ツェナーダイオードＺＤ１０１とツェナーダイオードＺＤ１０２は、一個によって構成され、或いは、一個以上によって構成され、かつ順極性に直列接続、同極性に並列接続、直並列接続する。上記の装置は必要に応じてオプションにすることが可能である。
１０．充放電可能装置ＥＳＤ１０１と充放電可能装置ＥＳＤ１０２は、一個によって構成され、或いは、一個以上によって構成され、かつ順極性に直列接続、同極性に並列接続、直並列接続する。上記の装置は必要に応じてオプションにすることが可能である。
【００６４】
本実施形態の非共振ＬＥＤ二方向性駆動回路を適用するとき、下記の各直流の電気エネルギーの入力を含む。
（１）直流脈動の電気エネルギーを入力する。
（２）或いは、直流電源を固定或いは可変電圧に転換し、及び固定或いは可変周期の直流脈動の電気エネルギーを入力する。
【００６５】
（３）或いは、交流の電気エネルギーを直流の電気エネルギーに整流し、固定或いは可変電圧に再転換し、及び固定或いは可変周期の直流脈動の電気エネルギーを入力する。
（４）或いは、固定或いは可変電圧及び固定或いは可変周波数の交流の電気エネルギーを入力し、半波或いは全波の直流脈動の電気エネルギーに整流する。
更に必要に応じて下記各能動制御回路装置を選択接続し、各適用回路は下記の通りである。
【００６６】
１．図１２は、本実施形態を直列式電気エネルギーパワーコントローラーと直列に接続する回路の回路図である。直列式電気エネルギーパワーコントローラーの構成は下記を含む。
直列式直流の電気エネルギーパワーコントローラー３３０は、よく使われるメカトロニクスコンポーネント或いは固体パワーコンポーネント及び電子回路関連コンポーネントによって構成され、直流脈動の電気エネルギーの出力パワーを制御する。
【００６７】
直列式二方向性電気エネルギーパワーコントローラー３００は、よく使われるメカトロニクスコンポーネント或いは固体パワーコンポーネント及び電子回路関連コンポーネントによって構成され、二方向性電気エネルギーの出力パワーを制御する。
回路の作動機能は下記の通りである。
（１）必要に応じて直列式直流の電気エネルギーパワーコントローラー３３０の選択設置が可能で、ＬＥＤ二方向性駆動回路Ｕ１００を直列接続する。二者を直列接続してから、電源からの直流脈動の電気エネルギーを入力し、直列式直流の電気エネルギーパワーコントローラー３３０を通して、電源からの脈動の電気エネルギーを調整制御する。またパルス幅変調（Ｐｕｌｓｅ  Ｗｉｄｔｈ  Ｍｏｄｕｌａｔｉｏｎ）を行い、或いは、導電の位相角を制御し、或いは、インピーダンスの調整制御等の方式でパワーを調整制御することによって、ＬＥＤ二方向性駆動回路Ｕ１００を駆動する。
【００６８】
（２）或いは、必要に応じて直列式二方向性電気エネルギーパワーコントローラー３００を選択設置し、第二インピーダンスＺ１０２と二方向性導電発光ダイオードセットＬ１００との間に直列接続する。直列式二方向性電気エネルギーパワーコントローラー３００を通して、第二インピーダンスＺ１０２の両端に減衰波形を示す二方向性脈動の分圧の電気エネルギーを調整制御し、パルス幅変調或いは導電の位相角を制御し、或いは、インピーダンスの調整制御等の方式でパワーを制御することによって、二方向性導電発光ダイオードセットＬ１００を駆動する。
【００６９】
２．図１３に本実施形態を並列式電気エネルギーパワーコントローラーと並列に接続する回路の回路図を示す。並列式電気エネルギーパワーコントローラーの構成は下記を含む。
並列式直流の電気エネルギーパワーコントローラー４３０は、よく使われるメカトロニクスコンポーネント或いは固体パワーコンポーネント及び電子回路関連コンポーネントによって構成され、直流脈動の電気エネルギーの出力パワーを制御する。
【００７０】
並列式二方向性電気エネルギーパワーコントローラー４００は、よく使われるメカトロニクスコンポーネント或いは固体パワーコンポーネント及び電子回路関連コンポーネントによって構成され、二方向性電気エネルギーの出力パワーを制御する。
回路の作動機能は下記通りである。
（１）必要に応じて並列式直流の電気エネルギーパワーコントローラー４３０の選択設置が可能で、出力端をＬＥＤ二方向性駆動回路Ｕ１００と並列接続する。かつ並列式直流の電気エネルギーパワーコントローラー４３０の入力端へ電源からの直流脈動の電気エネルギーを入力し、並列式直流の電気エネルギーパワーコントローラー４３０を通して、電源からの直流脈動の電気エネルギーを調整制御し、パルス幅変調を行い、或いは、導電の位相角を制御し、或いは、インピーダンスを調整制御する等の方式でパワーを調整制御することにより、ＬＥＤ二方向性駆動回路Ｕ１００を駆動する。
【００７１】
（２）或いは、必要に応じて並列式直流の電気エネルギーパワーコントローラー４００の選択設置が可能で、出力端を二方向性導電発光ダイオードセットＬ１００の入力端と並列接続する。かつ並列式二方向性電気エネルギーパワーコントローラー４００の入力端を第二インピーダンスＺ１０２と並列接続し、並列式二方向性電気エネルギーパワーコントローラー４００を通して、第二インピーダンスＺ１０２の両端からの減衰波形を示す二方向性脈動の分圧の電気エネルギーを調整制御し、パルス幅変調を行い、或いは、導電の位相角を制御し、或いは、インピーダンスを調整制御する等の方式でパワーを調整制御し、二方向性導電発光ダイオードセットＬ１００を駆動する。
【００７２】
３．図１４に本実施形態をＤＣ−ＤＣコンバータより出力する電気エネルギーを受けてから駆動する回路の回路図を示す。
この主な構成は下記を含む。
ＤＣ−ＤＣコンバータ（ＤＣ  ｔｏ  ＤＣ  Ｃｏｎｖｅｒｔｅｒ）５０００は、よく使われるメカトロニクス或いは固体パワーコンポーネント及び電子回路関連コンポーネントより構成され、入力端に直流の電気エネルギーを入力し、出力端は必要に応じて選定した固定或いは可変電圧及び固定或いは可変周期の直流脈動の電気エネルギーを出力する。
【００７３】
回路の作動機能は下記の通りである。
ＤＣ−ＤＣコンバータ５０００の入力端へ直流の電気エネルギーを入力し、出力端から直流脈動の電気エネルギーを出力し、かつＬＥＤ二方向性駆動回路Ｕ１００をＤＣ−ＤＣコンバータ５０００の出力端と並列に接続する。かつＤＣ−ＤＣコンバータ５０００の入力端は、必要に応じて選定する固定或いは可変電圧の直流電気エネルギーを入力し、或いは、交流電気エネルギーを直流電気エネルギーに整流してから入力する。
【００７４】
ＤＣ−ＤＣコンバータ５０００の出力端は、必要に応じて選定した固定或いは可変電圧及び固定或いは可変周期の脈動の電気エネルギーを出力することによって、ＬＥＤ二方向性駆動回路Ｕ１００を制御及び駆動する。
またＤＣ−ＤＣコンバータ５０００の出力パワーを制御することにより、直列共振（ｓｅｒｉｅｓ  ｒｅｓｏｎａｎｃｅ）のＬＥＤ二方向性駆動回路Ｕ１００への出力を制御する。或いは、出力する電気エネルギーに対してパルス幅変調を行い、或いは、導電の位相角を制御し、或いは、インピーダンスを制御する等の方式でパワーを調整制御することによって、ＬＥＤ二方向性駆動回路Ｕ１００を操作制御及び駆動する。
【００７５】
４．ＬＥＤ二方向性駆動回路Ｕ１００を少なくとも一個のよく使われるインピーダンスコンポーネント５００と直列に接続してから、電源と並列に接続する。インピーダンスコンポーネント５００は下記を含む。
（１）インピーダンスコンポーネント５００は、キャパシティブインピーダンス特性を持つコンポーネントより構成する。
【００７６】
（２）或いは、インピーダンスコンポーネント５００は、誘導性インピーダンス特性を持つデバイスより構成する。
（３）或いは、インピーダンスコンポーネント５００は、抵抗性インピーダンス特性を持つコンポーネントより構成する。
（４）或いは、インピーダンスコンポーネント５００は、単一インピーダンスコンポーネントが同時にキャパシティブインピーダンス或いは誘導性インピーダンス或いは抵抗性インピーダンスの中で少なくとも二種の合成インピーダンス特性を持つコンポーネントより構成されることによって、直流性質のインピーダンス或いは交流性質のインピーダンスを提供する。
【００７７】
（５）或いは、インピーダンスコンポーネント５００は、単一インピーダンスコンポーネントが同時にキャパシティブインピーダンス及び誘導性インピーダンスの合成インピーダンス特性を持つコンポーネントより構成される。かつ並列共振周波数は、通過する二方向性或いは一方向性脈動の電気エネルギーの周波数或いは周期と同じで、また並列共振状態になる。
【００７８】
（６）或いは、インピーダンスコンポーネント５００は、キャパシティブインピーダンスコンポーネント或いは誘導性インピーダンスコンポーネント或いは抵抗性インピーダンスコンポーネントより構成され、その中の一種或いは一種以上を含む。及び一個或いは一個以上のインピーダンスコンポーネントより構成され、或いは、二種或いは二種以上の直列に接続するインピーダンスコンポーネントを採用し、或いは、並列や直並列接続より構成され、直流性質のインピーダンス或いは交流性質のインピーダンスを提供する。
【００７９】
（７）或いは、インピーダンスコンポーネント５００は、キャパシティブインピーダンスコンポーネントと誘導性インピーダンスコンポーネントが互いに直列に接続することにより構成され、直列に接続してからの固有直列共振周波数と通過する二方向性或いは一方向性脈動の周波数或いは周期は同じで、かつ直列共振状態を形成する。また相対的にキャパシティブインピーダンスコンポーネント或いは誘導性インピーダンスコンポーネントの両端に直列共振を示す相対端の電圧を形成することが可能である。
【００８０】
或いは、キャパシティブインピーダンスと誘導性インピーダンスを互いに並列接続する。並列接続してからの固有並列共振周波数は、通過する二方向性或いは一方向性脈動の電気エネルギーの周波数或いは周期と同じで、かつ並列共振状態を形成し、及び相対の端電圧を形成することが可能である。
図１５に本実施形態をインピーダンスコンポーネントと直列に接続する回路の回路図を示す。
【００８１】
５．少なくとも二個の第４項で述べたインピーダンスコンポーネント５００は、メカトロニクスコンポーネント或いは固体コンポーネントとの接続によってスイッチユニット６００を構成し、かつ直列、並列、直並列接続の切り替えを行うことにより、ＬＥＤ二方向性駆動回路Ｕ１００のパワーの出力を調節制御する。図１６に本実施形態をスイッチ装置を通してインピーダンスコンポーネントと直列接続し、スイッチユニットを通して、直列、並列、直並列に接続する制御回路の回路図を示す。
本実施形態の非共振ＬＥＤ二方向性駆動回路において、第二インピーダンスＺ１０２の誘導性インピーダンスコンポーネントＩ２００の選択は、更に誘導効果を持つ変圧器電源巻線セットによって取り替え、変圧器に単巻変圧巻線の単巻変圧器ＳＴ２００を選択し、或いは、分離式変圧巻線の変圧器ＩＴ２００を選択することが可能である。
【００８２】
図１７に本実施形態を単巻変圧器の単巻変圧の電源巻線によって第二インピーダンスＺ１０２の誘導性インピーダンスコンポーネントを取り替える昇圧回路の回路図を示す。図１７に示すように、単巻変圧器ＳＴ２００は、昇圧機能を持つ単巻変圧巻線Ｗ０であって、単巻変圧器ＳＴ２００の単巻変圧巻線Ｗ０のｂ端、ｃ端を電源側とする。第二インピーダンスＺ１０２の誘導性インピーダンスコンポーネントＩ２００を取り替えることにより、コンデンサＣ２００と並列接続し、第二インピーダンスＺ１０２を構成することによって、第一インピーダンスＺ１０１を構成するコンデンサＣ１００と直列接続する。コンデンサＣ２００は、単巻変圧器ＳＴ２００のタップ（ＴＡＰ）のａ、ｃ間或いはｂ、ｃ間或いはほかの必要に応じてタップ間に並列接続することの選定が可能である。ただし単巻変圧巻線Ｗ０とコンデンサＣ２００を並列接続してからの固有並列共振周波数は、脈動の電気エネルギーの脈動周期と並列共振を形成しない。単巻変圧器ＳＴ２００の単巻変圧巻線Ｗ０のａ出力端、ｃ出力端から昇圧する二方向性に交互に切り替える電気エネルギーを出力することによって、二方向性導電発光ダイオードセットＬ１００を駆動する。
【００８３】
図１８に本実施形態を単巻変圧器の単巻変圧の電源巻線によって第二インピーダンスＺ１０２の誘導性インピーダンスコンポーネントを取り替える降圧回路の回路図を示す。図１８に示すように、単巻変圧器ＳＴ２００は、降圧機能を持つ単巻変圧巻線Ｗ０であって、単巻変圧器ＳＴ２００の単巻変圧巻線Ｗ０のａ端、ｃ端を電源側とする。第二インピーダンスＺ１０２の誘導性インピーダンスコンポーネントＩ２００を取り替えることにより、コンデンサＣ２００と並列接続し、第二インピーダンスＺ１０２を構成することによって、第一インピーダンスＺ１０１を構成するコンデンサＣ１００と直列接続する。コンデンサＣ２００は、単巻変圧器ＳＴ２００のタップのａ、ｃ間或いはｂ、ｃ間或いはほかの必要に応じてタップ間に並列接続することの選定が可能である。ただし単巻変圧巻線Ｗ０とコンデンサＣ２００を並列接続してからの固有並列共振周波数は、脈動の電気エネルギーの脈動周期と並列共振を形成しない。単巻変圧器ＳＴ２００の単巻変圧巻線Ｗ０のｂ出力端、ｃ出力端から降圧する二方向性に交互に切り替える電気エネルギーを出力することによって、二方向性導電発光ダイオードセットＬ１００を駆動する。
【００８４】
図１９に本実施形態を分離式変圧巻線の分離式変圧器の一次巻線によって第二インピーダンスＺ１０２の誘導性インピーダンスコンポーネントを取り替える回路の回路図を示す。図１９に示すように、分離式変圧器ＩＴ２００は、一次巻線Ｗ１及び二次巻線Ｗ２によって構成される。一次巻線Ｗ１と二次巻線Ｗ２の二者が分離され、一次巻線Ｗ１はコンデンサＣ２００と並列接続することによって、第二インピーダンスＺ１０２を構成してから、第一インピーダンスＺ１０１のコンデンサＣ１００と直列接続する。コンデンサＣ２００は単巻変圧器ＳＴ２００のタップのａ、ｃ間或いはｂ、ｃ間或いはほかの必要に応じてタップ間に並列接続することの選定が可能である。ただし一次巻線Ｗ１とコンデンサＣ２００を並列接続してからの固有並列共振周波数は、脈動の電気エネルギーの脈動周期と並列共振を形成しない。分離式変圧器ＩＴ２００の二次巻線Ｗ２の出力電圧は、必要に応じて昇圧或いは降圧の選択が可能で、二次巻線の出力の二方向性に交互に切り替える電気エネルギーを二方向性導電発光ダイオードセットＬ１００へ出力する。
【００８５】
上記の変圧器の電源巻線によって第二インピーダンスＺ１０２中の誘導性インピーダンスコンポーネントＩ２００を取り替え、コンデンサＣ２００と並列接続することによって、第二インピーダンスＺ１０２を構成する。また分離式変圧器ＩＴ２００の二次側昇圧出力の交流電圧或いは降圧出力の交流の電気エネルギーによって二方向性導電発光ダイオードセットＬ１００を駆動する。
本実施形態の非共振ＬＥＤ二方向性駆動回路では、ＬＥＤ二方向性駆動回路Ｕ１００の二方向性導電発光ダイオードセットＬ１００を構成する個別発光ダイオードＬＥＤ１０１及び発光ダイオードＬＥＤ１０２の色は、必要に応じて一種或いは一種以上の色によって構成する選択が可能である。
【００８６】
本実施形態の非共振ＬＥＤ二方向性駆動回路は、ＬＥＤ二方向性駆動回路Ｕ１００の中で二方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００８７】
本実施形態の非共振ＬＥＤ二方向性駆動回路では、ＬＥＤ二方向性駆動回路Ｕ１００の中にある回路コンポーネントセットの構成形態は下記を含む。（１）個別回路コンポーネントより単独構成してから、互いに接続する。（２）少なくとも二個の回路コンポーネントセットによって組み立ててから、少なくとも二個の一部の機能のユニットを互いに接続する。（３）全体が一体構造を示す。
上記をまとめると、本実施形態の非共振ＬＥＤ二方向性駆動回路は、キャパシティブ単極性充放電によって発光ダイオードを駆動して、進歩する電気節約、低熱ロス、コスト削減機能を特徴とする。
【符号の説明】
【００８８】
３００：直列式二方向性電気エネルギーパワーコントローラー、３３０：直列式直流の電気エネルギーパワーコントローラー、４００：並列式二方向性電気エネルギーパワーコントローラー、４３０：並列式直流の電気エネルギーパワーコントローラー、５００：インピーダンスコンポーネント、６００：スイッチユニット、５０００：ＤＣ−ＤＣコンバータ、Ｃ１００：コンデンサ、Ｃ２００：コンデンサ、ＣＲ１００：ダイオード、ＣＲ１０１：ダイオード、ＣＲ１０２：ダイオード、ＣＲ２０１：ダイオード、ＣＲ２０２：ダイオード、ＥＳＤ１０１：充放電可能装置、ＥＳＤ１０２：充放電可能装置、Ｉ１００：誘導性インピーダンスコンポーネント、Ｉ１０３：誘導性インピーダンスコンポーネント、Ｉ１０４：誘導性インピーダンスコンポーネント、Ｉ２００：誘導性インピーダンスコンポーネント、ＩＴ２００：分離式変圧器、Ｌ１００：二方向性導電発光ダイオードセット、ＬＥＤ１０１：第一発光ダイオード、ＬＥＤ１０２：第二発光ダイオード、Ｒ１００：限流抵抗、Ｒ１０１：放電抵抗、Ｒ１０３：限流抵抗、Ｒ１０４：限流抵抗、ＳＴ２００：単巻変圧器、Ｕ１００：ＬＥＤ二方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード、ＺＤ１０２：ツェナーダイオード
【図１】
2009170915.tif 000003
【図２】
2009170915.tif 000004
【図３】
2009170915.tif 000005
【図４】
2009170915.tif 000006
【図５】
2009170915.tif 000007
【図６】
2009170915.tif 000008
【図７】
2009170915.tif 000009
【図８】
2009170915.tif 000010
【図９】
2009170915.tif 000011
【図１０】
2009170915.tif 000012
【図１１】
2009170915.tif 000013
【図１２】
2009170915.tif 000014
【図１３】
2009170915.tif 000015
【図１４】
2009170915.tif 000016
【図１５】
2009170915.tif 000017
【図１６】
2009170915.tif 000018
【図１７】
2009170915.tif 000019
【図１８】
2009170915.tif 000020
【図１９】
2009170915.tif 000021
【外国語明細書】
2009170915.tif 000022
2009170915.tif 000023
2009170915.tif 000024
2009170915.tif 000025
2009170915.tif 000026
2009170915.tif 000027
2009170915.tif 000028
2009170915.tif 000029
2009170915.tif 000030
2009170915.tif 000031
2009170915.tif 000032
2009170915.tif 000033
2009170915.tif 000034
2009170915.tif 000035
2009170915.tif 000036
2009170915.tif 000037
2009170915.tif 000038
2009170915.tif 000039
2009170915.tif 000040
2009170915.tif 000041
2009170915.tif 000042
2009170915.tif 000043
2009170915.tif 000044
2009170915.tif 000045
2009170915.tif 000046
2009170915.tif 000047
2009170915.tif 000048
2009170915.tif 000049
2009170915.tif 000050
2009170915.tif 000051
2009170915.tif 000052
2009170915.tif 000053
2009170915.tif 000054
2009170915.tif 000055
2009170915.tif 000056
2009170915.tif 000057
2009170915.tif 000058
2009170915.tif 000059
2009170915.tif 000060
2009170915.tif 000061
2009170915.tif 000062
2009170915.tif 000063
2009170915.tif 000064
2009170915.tif 000065
2009170915.tif 000066
2009170915.tif 000067
2009170915.tif 000068
2009170915.tif 000069
2009170915.tif 000070
2009170915.tif 000071
2009170915.tif 000072
2009170915.tif 000073
2009170915.tif 000074
2009170915.tif 000075
2009170915.tif 000076
2009170915.tif 000077
2009170915.tif 000078
2009170915.tif 000079
2009170915.tif 000080
2009170915.tif 000081
2009170915.tif 000082